(57)【要約】【課題】  軸受の高信頼性を保ち組立性を向上させ、コストを抑制することができる低騒音のスクロール圧縮機を得る。【解決手段】  密閉容器９と、固定スクロール１及び揺動スクロール２等を備えた圧縮要素と、電動機５及び電動機の駆動力を伝達する主軸３等を備えた駆動要素と、主軸を駆動要素から見て圧縮要素側で支持する主フレーム４等を備えた主支持要素と、主軸を駆動要素から見て圧縮要素の反対側で支持するサブフレーム７等を備えた副支持要素と、一方を圧縮機組立体を構成する圧縮要素、駆動要素、主支持要素及び副支持要素のうち少なくともいずれか二つの固定部間に挟み込まれて圧縮機組立体と一体に組み付けられ、他方を密閉容器の内側面に固定される結合部材８とからなるものにおいて、駆動要素のうち電動機の固定子５ｂに固着される保持部材１２を有し、主支持要素と副支持要素が保持部材１２と固定される。【選択図】  図１
2005273463.tif 000002
【特許請求の範囲】
【請求項１】
密閉容器と、固定スクロール及び揺動スクロール等を備えた圧縮要素と、電動機及び電動機の駆動力を伝達する主軸等を備えた駆動要素と、上記主軸を駆動要素から見て圧縮要素側で支持する主フレーム等を備えた主支持要素と、上記主軸を駆動要素から見て圧縮要素の反対側で支持するサブフレーム等を備えた副支持要素と、一方を圧縮機組立体を構成する上記圧縮要素、上記駆動要素、上記主支持要素及び上記副支持要素のうち少なくともいずれか二つの固定部間に挟み込まれて上記圧縮機組立体と一体に組み付けられ、他方を密閉容器の内側面に固定される結合部材とからなるスクロール圧縮機において、上記駆動要素のうち電動機の固定子に固着される保持部材を有し、上記主支持要素と副支持要素が保持部材と固定されていることを特徴とするスクロール圧縮機。
【請求項２】
主支持要素と副支持要素のうち、結合部材を挟み込まないいずれか一方と、駆動要素の保持部材とが一体で構成されることを特徴とする請求項１に記載のスクロール圧縮機。
【請求項３】
密閉容器と、固定スクロール及び揺動スクロール等を備えた圧縮要素と、電動機及び電動機の駆動力を伝達する主軸等を備えた駆動要素と、上記主軸を駆動要素から見て圧縮要素側で支持する主フレーム等を備えた主支持要素と、上記主軸を駆動要素から見て圧縮要素の反対側で支持するサブフレーム等を備えた副支持要素と、一方を圧縮機組立体を構成する上記圧縮要素、上記駆動要素、上記主支持要素及び上記副支持要素のうち少なくともいずれか二つの固定部間に挟み込まれて上記圧縮機組立体と一体に組み付けられ、他方を密閉容器の内側面に固定される結合部材とからなるスクロール圧縮機において、上記駆動要素のうち電動機の固定子に固着される保持部材を有し、この保持部材の下端部に上記副支持要素が一体で構成されていることを特徴とするスクロール圧縮機。
【発明の詳細な説明】
【技術分野】
【０００１】
この発明は、冷凍・空調機等に使用されるスクロール圧縮機に関するものである。
【背景技術】
【０００２】
従来のスクロール圧縮機は、固定スクロール及び揺動スクロール等の部品を備えた圧縮要素、電動機及び電動機の駆動力を伝達する主軸等の部品を備えた駆動要素、及び主軸を支持するフレーム等の部品を備えた支持要素からなる圧縮機組立体と、上部が開口したカップ状の結合部材と、密閉容器とから構成される。圧縮機組立体と密閉容器は直接組み合わせるのではなく、カップ状の結合部材を介して間接的に結合している。また従来の圧縮機は駆動要素を挟む形で２つの支持要素を有し、上記主軸を２箇所で支持する。さらに圧縮機組立体と結合部材の結合形態は、圧縮機組立体を構成する少なくとも２部品の固定部間に結合部材が挟み込まれている。
これらにより、結合部材はある周波数帯の振動を減衰させる機能を有するように形状を設定するため、圧縮機組立体で発生する振動を減衰させて密閉容器に伝達させるため、低騒音が実現される。また上記主軸の２箇所の支持を精度よく行うと、軸受信頼性が確保される。さらに結合部材、駆動要素、支持要素を同時に固定することにより、部品点数が少なく、組立性向上・低コストが実現できる（例えば、特許文献１参照。）
【０００３】
【特許文献１】特開平１１−１３６５４号公報
【発明の開示】
【発明が解決しようとする課題】
【０００４】
従来のスクロール圧縮機では、駆動要素のうち主軸の軸受部の信頼性確保のために、圧縮機組立工程において、主支持要素の主軸受と副支持要素の副軸受との相対的な位置関係である平行度、同軸度に高精度を要求される。しかし主支持要素と副支持要素の間にある駆動要素の固定子は、一般的に積層鋼板より構成されるため部品単体での平行度がよくなく、主支持要素の主軸受と副支持要素の副軸受の同軸度、平行度を高精度に組立てるには困難が生じる。
また類似機種で駆動要素の電動機の形状が異なると、形状の異なる程度に応じて駆動要素のその他の部品、主支持要素、副支持要素、結合部材の形状が異ならざるを得ないので、共通部品が少なく、類似部品点数が増大し、類似機種全体での部品管理・組立段換え等が発生し組立性が悪化し、その結果部品単体・圧縮機全体ともに高コストとなる問題点があった。
【０００５】
この発明は、上記のよう課題を解決するためになされたもので、軸受の高信頼性を保ちつつ組立性を向上させ、かつ類似機種を含めた全体のコストを抑制することができる低騒音のスクロール圧縮機を得るものである。
【課題を解決するための手段】
【０００６】
この発明に係るスクロール圧縮機は、密閉容器と、固定スクロール及び揺動スクロール等を備えた圧縮要素と、電動機及び電動機の駆動力を伝達する主軸等を備えた駆動要素と、主軸を駆動要素から見て圧縮要素側で支持する主フレーム等を備えた主支持要素と、主軸を駆動要素から見て圧縮要素の反対側で支持するサブフレーム等を備えた副支持要素と、一方を圧縮機組立体を構成する圧縮要素、駆動要素、主支持要素及び副支持要素のうち少なくともいずれか二つの固定部間に挟み込まれて圧縮機組立体と一体に組み付けられ、他方を密閉容器の内側面に固定される結合部材とからなるものにおいて、駆動要素のうち電動機の固定子に固着される保持部材を有し、主支持要素と副支持要素が保持部材と固定されてなるものである。
【発明の効果】
【０００７】
この発明のスクロール圧縮機は、駆動要素のうち電動機固定子に固着される保持部材を備え、主支持要素と副支持要素が保持部材と固定されるように構成したので、主支持要素の主軸受と副支持要素の副軸部の同軸度、平行度を高精度に組立てる作業性向上、なおかつ類似機種全体でのコスト抑制という効果を有する。
【発明を実施するための最良の形態】
【０００８】
実施の形態１．
図１はこの発明の実施の形態１におけるスクロール圧縮機の縦断面図を示すものである。
図１において、固定スクロール１は主フレーム４とボルト等で固定されており、固定スクロール１の台板部１ａの中心付近には吐出ポート１ｃが形成され、台板部１ａの片側には板状渦巻歯１ｂが形成されている。２は揺動スクロールで、台板部２ａの片側には固定スクロール１の板状渦巻歯１ｂと同一形状の板状渦巻歯２ｂが形成されている。揺動スクロール２の台板部２ａの板状渦巻歯２ｂと反対側の中心部には中空円筒状のボス部が形成され、このボス部には搖動軸受２ｃが形成されている。また、揺動スクロール２の台板部２ａの上記中空円筒状のボス部と同じ側の外周側にはスラスト面２ｄが形成され、主フレーム４のスラスト軸受４ａと平面接触し摺動可能となっている。
【０００９】
主フレーム４の中心部には電動機５によって駆動される主軸３を回転可能に支持する主軸受４ｂが形成されている。電動機５は回転子５ａと固定子５ｂによって構成され、回転子５ａは上記主軸３に固着され、固定子５ｂは保持部材６に固着されている。保持部材６は上記主フレーム４のスクロールと反対側に設けられた脚部４ｃと、中心部に主軸３を回転可能に支持する軸受７ａを有するサブフレーム７の脚部７ｂとの間に固定され、圧縮機組立体が構成されている。さらに、密閉容器９の内周部に一端が圧入、焼き嵌め又は溶接により固着され、他端は前記主フレーム４の脚部４ｃと保持部材６との間に挟み込まれたカップ状の結合部材８を有している。この結合部材８は圧縮機組立体と密閉容器９を連結しており、さらに上記保持部材６の下端部６ｂに取付けられた前記サブフレーム７と共にボルトによって一体に締結されている。
【００１０】
主軸３の揺動スクロール２側端部には、揺動スクロール２の偏心方向と同一方向に偏心した搖動軸部３ａが形成され、揺動スクロール２の搖動軸受２ｃに回転自在に接合されている。吸入管１０は密閉容器９に機密的に固定され、圧縮される前の低圧冷媒ガスを密閉容器９に導く。吐出管１１は密閉容器７に機密的に固定され、圧縮された後の高圧冷媒ガスを密閉容器７外に排出する。
【００１１】
従って、上記圧縮機組立体を構成する、主フレーム４、サブフレーム７、保持部材６、結合部材８は高精度に機械加工できるため、主軸受４ｂと副軸受７ａの同軸度・平行度を精度よく、容易に組立てることができ、組立時間が短縮できる。
また類似機種に展開する場合、固定子５ｂは保持部材６を介して主フレーム４、サブフレーム７と固定されているので、電動機５の外径を変えても、保持部材６の内径を変更するだけで他部品は共通化でき、類似機種全体での部品点数を低減、低コスト化が可能である。さらに電動機５のコア長が変化する場合は保持部材６も統一でき、更なる効果を得られる。
【００１２】
実施の形態２．
図２はこの発明の実施の形態２におけるスクロール圧縮機の縦断面図を示すものである。  図２において、実施の形態１と同一又は相当部分には同一符号を付し、その説明を省略する。この実施の形態２では、副軸受７ａは保持部材６の下端部を更に下方に延長して形成した保持体１２に固定されている。従って、主軸受４ｂと副軸受７ａの同軸度・平行度を精度よく保つと同時に、回転子５ａと固定子５ｂのエアギャップを確保することができ、工数低減が実現できる。また部品点数が一つ減るので、主軸受４ｂと副軸受７ａの同軸度・平行度を確保する作業性も更に向上する。
【図面の簡単な説明】
【００１３】
【図１】この発明の実施の形態１におけるスクロール圧縮機を示す縦断面図である。
【図２】この発明の実施の形態２におけるスクロール圧縮機を示す縦断面図である。
【符号の説明】
【００１４】
１  固定スクロール
１ａ  台板部
１ｂ  板状渦巻歯
１ｃ  吐出ポート
２  搖動スクロール
２ａ  台板部
２ｂ  板状渦巻歯
２ｃ  搖動軸受
２ｄ  スラスト面
３  主軸
３ａ  搖動軸部
４  主フレーム
４ａ  スラスト軸受
４ｂ  主軸受
４ｃ  脚部
５  電動機
５ａ  回転子
５ｂ  固定子
６  保持部材
７  サブフレーム
７ａ  副軸受
７ｂ  脚部
８  結合部材
９  密閉容器
１０  吸入管
１１  吐出管
１２  保持部材
【図１】
2005273463.tif 000003
【図２】
2005273463.tif 000004